(57)【特許請求の範囲】
【請求項１】
各製品の識別情報に応じた当該製品に関する各種製品情報を予め記憶する記憶部と、
通信回線を介して接続された端末装置から、共用される複数の製品の識別情報を取得する通信インターフェース部と、
ＣＰＵからなる情報処理部とを備え、
前記情報処理部は、
任意の識別情報に応じた前記製品情報を前記記憶部から検索して出力する情報検索手段と、
前記通信インターフェース部で取得された前記各識別情報に含まれる、当該製品の各種分類を示す複数の識別子のうち、当該製品の製造または販売会社を識別するための会社識別子、当該製品の種別を識別するための種別識別子、および当該製品の個体を識別するための製品個体識別子について、これら識別子同士を前記製品間で比較してこれら識別子に応じた分類ごとの一致／不一致を分析することにより、前記製品の組合せに関する適／不適を判断する組合せ分析手段とを有し、
前記記憶部は、前記各製品の組合せに応じた関連情報を記憶し、
前記情報検索手段は、前記組合せ分析手段により前記組合せ適と判断された場合、前記分析の分析結果に応じた関連情報を前記記憶部から検索して出力し、前記組合せ分析手段により前記組合せ不適と判断された場合、前記製品の組合せエラーを示すエラー情報を出力する
ことを特徴とする情報提供装置。
【請求項２】
請求項１に記載の情報提供装置において、
前記記憶部は、前記識別子の組合せに関する適／不適を示す判断情報を記憶し、
前記組合せ分析手段は、前記記憶部の前記判断情報を参照して、前記各製品の前記識別情報に含まれる前記識別子の組合せに関する適／不適に基づいて、前記製品の組合せに関する適／不適を判断することを特徴とする情報提供装置。
【請求項３】
請求項１に記載の情報提供装置において、
前記情報検索手段は、前記組合せ分析手段により、前記会社識別子に基づいて前記製品が同一会社の製品であると分析された場合、前記各製品の組合せに応じた当該会社の製品に関する関連情報を検索する
ことを特徴とする情報提供装置。
【請求項４】
請求項１に記載の情報提供装置において、
前記情報検索手段は、前記組合せ分析手段により、前記会社識別子に基づいて前記製品が異なる会社の製品であった場合、前記各製品のそれぞれに応じた当該会社の製品に関する関連情報を検索する
ことを特徴とする情報提供装置。
【請求項５】
各製品の識別情報に応じた当該製品に関する各種製品情報を予め記憶する記憶部と、通信回線を介して接続された端末装置から、共用される複数の製品の識別情報を取得する通信インターフェース部と、ＣＰＵからなる情報処理部とを備える情報提供装置で用いられる情報提供方法であって、
前記情報処理部の情報検索手段が、任意の識別情報に応じた前記製品情報を前記記憶部から検索して出力する情報検索ステップと、
前記情報処理部の組合せ分析手段が、前記通信インターフェース部で取得された前記各識別情報に含まれる、当該製品の各種分類を示す当該製品の各種分類を示す複数の識別子のうち、当該製品の製造または販売会社を識別するための会社識別子、当該製品の種別を識別するための種別識別子、および当該製品の個体を識別するための製品個体識別子について、これら識別子同士を前記製品間で比較してこれら識別子に応じた分類ごとの一致／不一致を分析することにより、前記製品の組合せに関する適／不適を判断する組合せ分析ステップと、
前記記憶部が、前記各製品の組合せに応じた関連情報を記憶するステップと、
前記情報検索手段が、前記組合せ分析手段により前記組合せ適と判断された場合、前記分析の分析結果に応じた関連情報を前記記憶部から検索して出力し、前記組合せ分析手段により前記組合せ不適と判断された場合、前記製品の組合せエラーを示すエラー情報を出力するステップと
を備えることを特徴とする情報提供方法。
【請求項６】
コンピュータを、請求項１〜請求項４のいずれか１つに記載の情報提供装置を構成する各部として機能させるためのプログラム。
【発明の詳細な説明】
【技術分野】
【０００１】
本発明は、情報管理技術に関し、特に各製品に応じた製品情報を提供する情報提供技術に関する。
【背景技術】
【０００２】
製品の多様化に伴って、製品の生産、流通、販売などの各種フェーズにおいて、製品を個別に管理する必要性が高まりつつある。このような製品管理では、各製品に予め付与されている識別情報と当該製品の製品情報とを組としてデータベースで管理しておき、指定された任意の製品の識別情報に基づきデータベースを検索して、当該製品の製品情報を提供する情報提供装置が用いられる。このうち、販売フェーズでは、販売時に製品の特徴を説明する際、情報提供装置から検索した製品情報を用いて製品の説明が行われる。
【０００３】
一方、製品の識別情報を取得する技術として、ＲＦＩＤ（Radio Frequency Identification）技術が注目されている（例えば、非特許文献１，２参照）。このＲＦＩＤ技術は、無線ＩＣチップを用いたタグ無線タグや電子タグと呼ばれるＲＦＩＤタグを製品に添付して、ＲＦＩＤタグ内の情報をタグリーダで読み取ることで、任意の製品の製品情報の取得・管理を行う技術である。このような識別情報をキーとした製品情報の取得技術は、ＲＦＩＤタグのほか、バーコード、２次元バーコード、ＩＣカード、さらには操作入力されたＩＤなど、各種識別情報に基づき取得する技術が従来より存在するが、ＲＦＩＤ技術の利用により識別情報を容易に取得する環境が整備されるため、製品情報を効率よく取得・管理することが可能となりつつある。
【０００４】
【非特許文献１】http://itpro.nikkeibp.co.jp/free/NBY/RFID/20031202/1/,"RFIDテクノロジ／１分でわかるRFID",日経ＢＰ社
【非特許文献２】http://www.dsri.jp/company/03/rfid.htm,"■RFID",(財)流通システム開発センター
【発明の開示】
【発明が解決しようとする課題】
【０００５】
しかしながら、このような従来技術では、個々の製品の製品情報を個別に検索して出力していたため、同時に使用されるすなわち共用される複数の製品の組合せに応じた関連情報については提供できないという問題点があった。
前述したＲＦＩＤ技術により、共用される複数の製品のＩＤを容易に取得でき、これら製品の製品情報を効率よく取得可能な環境になった場合、製品の生産、流通、販売などの各種フェーズにおいて、共用製品の組合せに応じた提供情報の選別や共用製品の組合せ自体に関する情報提供など、さらなる利便性の向上が期待される。
【０００６】
本発明はこのような課題を解決するためのものであり、共用される複数の製品の組合せに応じた関連情報を提供できる情報提供装置、情報提供方法、およびプログラムを提供することを目的としている。
【課題を解決するための手段】
【０００７】
このような目的を達成するために、本発明にかかる情報提供装置は、各製品の識別情報に応じた当該製品に関する各種製品情報を予め記憶する記憶部と、通信回線を介して接続された端末装置から、共用される複数の製品の識別情報を取得する通信インターフェース部と、ＣＰＵからなる情報処理部とを備え、情報処理部は、任意の識別情報に応じた製品情報を記憶部から検索して出力する情報検索手段と、通信インターフェース部で取得された各識別情報に含まれる、当該製品の各種分類を示す複数の識別子のうち、当該製品の製造または販売会社を識別するための会社識別子、当該製品の種別を識別するための種別識別子、および当該製品の個体を識別するための製品個体識別子について、これら識別子同士を製品間で比較してこれら識別子に応じた分類ごとの一致／不一致を分析することにより、製品の組合せに関する適／不適を判断する組合せ分析手段とを有し、記憶部は、各製品の組合せに応じた関連情報を記憶し、情報検索手段は、組合せ分析手段により組合せ適と判断された場合、分析の分析結果に応じた関連情報を記憶部から検索して出力し、組合せ分析手段により組合せ不適と判断された場合、製品の組合せエラーを示すエラー情報を出力するようにしたものである。
【０００８】
また、記憶部で、識別子の組合せに関する適／不適を示す判断情報を記憶し、組合せ分析手段で、記憶部の判断情報を参照して、各製品の識別情報に含まれる識別子の組合せに関する適／不適に基づいて、製品の組合せに関する適／不適を判断するようにしてもよい。
また、情報検索手段で、組合せ分析手段により、会社識別子に基づいて製品が同一会社の製品であった場合、各製品の組合せに応じた当該会社の製品に関する関連情報を検索するようにしてもよい。
あるいは、情報検索手段で、組合せ分析手段により、会社識別子に基づいて分析により製品が異なる会社の製品であった場合、各製品のそれぞれに応じた当該会社の製品に関する関連情報を検索するようにしてもよい。
【０００９】
また、本発明にかかる情報提供方法は、各製品の識別情報に応じた当該製品に関する各種製品情報を予め記憶する記憶部と、通信回線を介して接続された端末装置から、共用される複数の製品の識別情報を取得する通信インターフェース部と、ＣＰＵからなる情報処理部とを備える情報提供装置で用いられる情報提供方法であって、情報処理部の情報検索手段が、任意の識別情報に応じた製品情報を記憶部から検索して出力する情報検索ステップと、情報処理部の組合せ分析手段が、通信インターフェース部で取得された各識別情報に含まれる、当該製品の各種分類を示す複数の識別子のうち、当該製品の製造または販売会社を識別するための会社識別子、当該製品の種別を識別するための種別識別子、および当該製品の個体を識別するための製品個体識別子について、これら識別子同士を製品間で比較してこれら識別子に応じた分類ごとの一致／不一致を分析することにより、製品の組合せに関する適／不適を判断する組合せ分析ステップと、記憶部が、各製品の組合せに応じた関連情報を記憶するステップと、情報検索手段が、組合せ分析手段により組合せ適と判断された場合、分析の分析結果に応じた関連情報を記憶部から検索して出力し、組合せ分析手段により組合せ不適と判断された場合、製品の組合せエラーを示すエラー情報を出力するステップとを備えている。
【００１０】
また、本発明にかかるプログラムは、コンピュータを、前述したいずれか１つの情報提供装置を構成する各部として機能させるためのプログラムである。
【発明の効果】
【００１１】
本発明によれば、共用される複数の製品の識別情報に含まれる、当該製品の各種分類を示す複数の識別子のうち、当該製品の製造または販売会社を識別するための会社識別子、当該製品の種別を識別するための種別識別子、および当該製品の個体を識別するための製品個体識別子について、これら識別子同士を製品間で比較してこれら識別子に応じた分類ごとの一致／不一致を分析することにより、製品の組合せに関する適／不適が判断され、これら分析結果に応じた関連情報が記憶部から検索されて出力され、組合せ不適と判断された製品について組合せエラーを示すエラー情報が出力されるため、共用される複数の製品の組合せに応じた関連情報や組合せ不適を示すエラー情報を提供できる。これにより、共用製品の組合せに応じた提供情報の選別やその組合せ自体に関する情報提供を行うことができ、例えばシミュレーション画像の生成や販売促進に有用な関連情報を容易に提供可能となる。
【発明を実施するための最良の形態】
【００１２】
次に、本発明の実施の形態について図面を参照して説明する。
［情報提供装置］
まず、図１を参照して、本発明の一実施の形態にかかる情報提供装置について説明する。図１は、本発明の一実施の形態にかかる情報提供装置の構成を示すブロック図である。
この情報提供装置１は、コンピュータを用いて情報処理を行うサーバーなどの情報処理装置からなり、各製品の識別情報に応じた当該製品に関する各種製品情報を記憶しておき、通信網５を介して端末装置２から送信された情報要求に応じて、この情報要求に含まれる識別情報に基づいて対応する製品の製品情報を検索し、端末装置２へ通知する機能を有している。
【００１３】
本実施の形態は、同時に使用されるすなわち共用される複数の製品の識別情報を取得し、これら識別情報に含まれる、当該製品の各種分類を示す複数の識別子を、各識別情報間で比較することにより、各製品の組合せを分析し、その分析結果に応じた関連情報を記憶部から検索して出力するようにしたものである。
【００１４】
次に、図１を参照して、本発明の一実施の形態にかかる情報提供装置の構成について詳細に説明する。
情報提供装置１には、主な機能部として、通信インターフェース部（以下、通信Ｉ／Ｆ部という）１１、提供情報データベース（以下、提供情報ＤＢという）１２、および情報処理部１３が設けられている。
【００１５】
通信Ｉ／Ｆ部１１は、通信網５を介して端末装置２とデータ通信を行う専用の通信回路からなり、通信網５を介して端末装置２からの情報要求を受信して情報処理部１３へ出力する機能と、情報処理部１３からの提供情報を端末装置２へ通信網５を介して送信する機能とを有している。
情報提供ＤＢ１２（記憶部）は、ハードディスクやメモリなどの記憶装置からなり、各製品の識別情報に応じた当該製品の製品情報をデータベースとして記憶する機能と、各製品の組合せに応じた関連情報をデータベースとして記憶する機能とを有している。
【００１６】
情報処理部１３は、ＣＰＵとその周辺回路からなり、記憶部（図示せず）に格納されているプログラムを読み込んで実行することにより、上記ハードウェアとプログラムとを協働させて各種機能手段を実現する。主な機能手段としては、組合せ分析手段１３Ａおよび情報検索手段１３Ｂがある。
【００１７】
組合せ分析手段１３Ａは、通信Ｉ／Ｆ部１１で受信された端末装置２からの情報要求により通知された製品の識別情報（以下、ＩＤという）について、これらＩＤに含まれる、当該製品の各種分類を示す複数の識別子を、各ＩＤ間で比較することにより、各製品の組合せを分析する機能を有している。
図２は、識別情報の構成を示す説明図である。各製品に固有のＩＤ４１は、当該製品の各種分類を示す複数の識別子から構成されている。この例では、ＩＤ４１の１〜９桁目の数字９桁分が当該製品の製造／販売会社を識別するための会社識別子４１Ａに対応し、ＩＤ４１の１０〜１５桁目の数字６桁分が当該製品の種別（製品名）を識別するための製品種別識別子４１Ｂに対応し、ＩＤ４１の１６〜２４桁目の数字９桁部が当該製品の個体（特徴）を識別するための製品個体識別子４１Ｃに対応している。
【００１８】
例えば、衣料品のＩＤでは、当該衣料品の製造会社を示す識別情報が会社識別子４１Ａとして用いられ、Ｔシャツやジャケットなどの用途や製品名など当該衣料品の種別を示す識別情報が製品種別識別子４１Ｂとして用いられ、色、柄、形や製造日などの当該衣料品の個体を示す識別情報が製品個体識別子４１Ｃとして用いられる。
【００１９】
したがって、情報提供ＤＢ１２には、これら識別子およびその組合せごとに製品情報が登録されており、図２に示すように、会社識別子４１Ａからは製品情報として「製造会社Ａ社」が導出される。同様に、会社識別子４１Ａと製品種別識別子４１Ｂの組合せからは「製造会社Ａ社のジャケットＸ」という製品情報が得られ、会社識別子４１Ａ、製品種別識別子４１Ｂ、および製品個体識別子４１Ｃの組合せからは「製造会社Ａ社のジャケットＸのうち色が赤で製造日が05/12/01」という製品情報が得られる。
【００２０】
組合せ分析手段１３Ａは、共用製品の各ＩＤを分類ごとの識別子、例えば会社識別子４１Ａ、製品種別識別子４１Ｂ、および製品個体識別子４１Ｃにそれぞれ分割し、これら識別子同士を比較することにより、各分類、例えば製造会社、製品種別、製品個体について一致／不一致を分析する。なお、識別子についてはこれら分類に限定されるものではなく、他の分類のための識別子を用いてもよい。
【００２１】
情報検索手段１３Ｂは、通信Ｉ／Ｆ部１１で受信された端末装置２からの情報要求に含まれるＩＤに対応する製品情報を提供情報ＤＢ１２から検索する機能と、組合せ分析手段１３Ａでの分析結果に基づいて共用製品の組合せに対応する提供情報を提供情報ＤＢ１２から検索する機能と、これら検索により得られた提供情報を通信Ｉ／Ｆ部１１を介して要求元の端末装置２へ通知する機能とを有している。
【００２２】
［端末装置］
次に、図１を参照して、本発明の一実施の形態にかかる端末装置の構成について詳細に説明する。
端末装置２は、通信網５を介して情報提供装置１とデータ通信を行うパーソナルコンピュータなどの情報処理端末からなり、利用者の検索要求操作に応じて、製品４（４Ａ，４Ｂ）から識別情報をそれぞれ読み取って、これら識別情報を含む情報要求を情報提供装置１に送信することにより、製品４に対応する製品情報を取得して利用者に提供する。
【００２３】
端末装置２には、主な機能部として、通信インターフェース部（以下、通信Ｉ／Ｆ部という）２１、操作入力部２２、画面表示部２３、および情報処理部２４が設けられている。
通信Ｉ／Ｆ部２１は、通信網５を介して情報提供装置１とデータ通信を行う専用の通信回路からなり、情報処理部２４からの情報要求を情報提供装置１へ通信網５を介して送信する機能と、通信網５を介して情報提供装置１からの情報要求を受信して情報処理部２４へ出力する機能とを有している。
【００２４】
操作入力部２２は、キーボードやマウスなどの操作入力装置からなり、利用者の各種操作を検出して情報処理部２４へ出力する機能を有している。
画面表示部２３は、ＬＣＤやＰＤＰなどの画面表示装置からなり、情報処理部２４からの指示に応じて各種情報を画面表示する機能を有している。
【００２５】
情報処理部２４は、ＣＰＵとその周辺回路からなり、記憶部（図示せず）に格納されているプログラムを読み込んで実行することにより、上記ハードウェアとプログラムとを協働させて各種機能手段を実現する。主な機能手段としては、アプリケーション処理手段２４Ａがある。
アプリケーション処理手段２４Ａは、製品４の識別情報に応じた製品情報を用いて利用者が行う所望の情報処理を実行する手段であり、ＩＤリーダ３を制御して製品４Ａ，４Ｂに添付されているＲＦＩＤタグ４０からそれぞれのＩＤを取得する機能と、取得したＩＤを含む情報要求を通信Ｉ／Ｆ部２１から通信網５を介して情報提供装置１へ送信する機能と、通信Ｉ／Ｆ部２１で受信された情報提供装置１からの提供情報を用いて所望の処理を行う機能と、この処理結果を画面表示部２３へ出力して画面表示する機能とを有している。
【００２６】
端末装置２が、シミュレーション画像生成装置の場合、アプリケーション処理手段２４Ａが、シミュレーション画像生成のための各種処理を行うアプリケーションに相当する。具体的には、アプリケーション処理手段２４Ａにより、利用者の画像をカメラ（図示せず）で取り込み、ＩＤリーダ３から取得した衣料品４Ａ，４ＢのＩＤを含む情報要求を情報提供装置１へ送信し、これに応じて返送された製品情報に基づき、各衣料品の色、柄、形を画像に重ね合わせることによりシミュレーション画像を生成する。
【００２７】
ＩＤリーダ３は、端末装置２の汎用インターフェース（図示せず）に接続されて、各製品４Ａ，４Ｂに添付されているＲＦＩＤタグ４０と無線通信を行う通信機器であり、端末装置２の情報処理部２４からの指示に応じて、各製品４Ａ，４Ｂに添付されているＲＦＩＤタグ４０から個々の製品４Ａ，４Ｂに固有のＩＤを読み取る機能と、読み取ったＩＤを端末装置２の情報処理部２４へ出力する機能とを有している。なお、ＩＤリーダ３およびＲＦＩＤタグ４０は公知の技術に基づくものであり、ここでの詳細な説明は省略する。
【００２８】
［情報提供装置の動作］
次に、図３を参照して、本発明の一実施の形態にかかる情報提供装置の動作について説明する。図３は、本発明の一実施の形態にかかる情報提供装置の情報提供動作を示すシーケンス図である。
以下では、端末装置２により製品４Ａ，４Ｂから取得したＩＤを含む情報要求に応じて、情報提供装置１から当該製品４Ａ，４Ｂの組合せに応じた関連情報を通知する場合を例として説明する。
【００２９】
端末装置２の情報処理部２４は、利用者の検索要求操作が操作入力部２２により検出された場合（ステップ１００）、アプリケーション処理手段２４Ａにより、ＩＤリーダ３に対してＩＤ取得要求を送信する（ステップ１０１）。
これに応じて、ＩＤリーダ３は、各製品４Ａ，４Ｂに添付されているＲＦＩＤタグ４０と無線通信を行うことにより、個々の製品４Ａ，４Ｂに固有のＩＤａ，ＩＤｂを読み取り（ステップ１０２，１０３）、これらＩＤａ，ＩＤｂを端末装置２へ通知する（ステップ１０４）。
【００３０】
アプリケーション処理手段２４Ａは、ＩＤリーダ３から通知されたＩＤａ，ＩＤｂを受信し、これらＩＤａ，ＩＤｂを含む情報要求を通信Ｉ／Ｆ部２１から情報提供装置１へ送信する（ステップ１０５）。
情報提供装置１の情報処理部１３は、端末装置２からの情報要求が通信Ｉ／Ｆ部１１で受信された場合、組合せ分析手段１３Ａにより、その情報要求に含まれているＩＤａ，ＩＤｂを構成する各識別子をこれらＩＤ間で比較することにより、各製品の組合せを分析する（ステップ１０６）。
【００３１】
次に、情報処理部１３は、情報検索手段１３Ｂにより、端末装置２からの情報要求に含まれているＩＤａ，ＩＤｂに対応する製品情報を提供情報ＤＢ１２から検索するとともに、組合せ分析手段１３Ａでの分析結果に基づいて共用製品４Ａ，４Ｂの組合せに対応する提供情報を提供情報ＤＢ１２から検索する（ステップ１０７）。そして、これら提供情報を例えばＸＭＬやＨＴＭＬなどの所定データフォーマットに整形した後（ステップ１０８）、通信Ｉ／Ｆ部１１から要求元の端末装置２へ通知する（ステップ１０９）。
【００３２】
端末装置２の情報処理部２４は、情報提供装置１からの提供情報が通信Ｉ／Ｆ部２１で受信された場合、アプリケーション処理手段２４Ａにより、その提供情報をそのまま、あるいは提供情報を用いた任意の処理で得られた情報を、画面表示部２３へ出力して画面表示する（ステップ１１０）。
これにより、製品４Ａ，４Ｂの製品情報だけではなく、これら製品４Ａ，４Ｂの組合せに応じた製品情報が利用者に提供される。
【００３３】
［情報取得処理］
次に、図４を参照して、本発明の一実施の形態にかかる情報提供装置での情報取得処理について詳細に説明する。図４は、本発明の一実施の形態にかかる情報提供装置での情報取得処理を示すフローチャートである。
情報提供装置１の情報処理部１３は、端末装置２からの情報要求が通信Ｉ／Ｆ部１１で受信された場合、組合せ分析手段１３Ａおよび情報検索手段１３Ｂを用いて、図４の情報取得処理を実行する。この情報取得処理は、前述した図３のステップ１０６，１０７に相当する。
【００３４】
まず、組合せ分析手段１３Ａは、端末装置２からの情報要求で指定されたＩＤが複数かどうか判断し（ステップ２００）、指定されたＩＤが１つの場合には（ステップ２００：ＮＯ）、情報検索手段１３Ｂにより、当該ＩＤの製品情報を提供情報ＤＢ１２から検索して（ステップ２０１）、得られた製品情報を提供情報として端末装置２へ通知し（ステップ２０２）、一連の情報取得処理を終了する。
【００３５】
一方、端末装置２からの情報要求で指定されたＩＤが複数の場合（ステップ２００：ＹＥＳ）、組合せ分析手段１３Ａは、各ＩＤを識別子に分割し（ステップ２０３）、得られた各識別子を比較して、各識別子に応じた分類ごとの一致／不一致を分析する（ステップ２０４）。
【００３６】
ここで、製品４Ａ，４Ｂの組合せが不適切であり、組合せエラーと判断された場合（ステップ２０５：ＹＥＳ）、情報検索手段１３Ｂは、組合せエラーという分析結果に基づき提供情報ＤＢ１２を検索し、得られたエラー情報を提供情報として端末装置２へ通知し（ステップ２０９）、一連の情報取得処理を終了する。
なお、製品の組合せの適／不適については、任意の判断基準を用いればよい。例えば、シミュレーション画像を生成する場合には、ジャケットという衣料品を共用することはないので、複数のＩＤ間で製品種別識別子や製品個体識別子が同一の場合には、製品重複と判断して組合せ不適と判定すればよい。
【００３７】
また、特定の識別子の組合せに関する適／不適を示す判断情報を提供情報ＤＢ１２に予め登録しておき、この判断情報を参照して当該識別子の組合せに関する適／不適を判断してもよい。例えば、製品が同時に投与される薬の場合、任意の薬の組合せに関する適／不適を示す判断情報を提供情報ＤＢ１２に予め登録しておけば、端末装置２からの情報要求で指定された各ＩＤに対応する薬の組合せの適／不適を容易に判断できる。
【００３８】
一方、ステップ２０５において、製品４Ａ，４Ｂの組合せが適切であり、組合せエラーはないと判断された場合（ステップ２０５：ＮＯ）、情報検索手段１３Ｂにより、これらＩＤの製品情報を提供情報ＤＢ１２から検索するとともに（ステップ２０６）、組合せ分析手段１３Ａでの分析結果に基づいて共用製品４Ａ，４Ｂの組合せに対応する関連情報を提供情報ＤＢ１２から検索し（ステップ２０７）、これら各ＩＤ製品情報と組合せに対応する関連情報を提供情報として端末装置２へ通知し（ステップ２０８）、一連の情報取得処理を終了する。
【００３９】
例えば、シミュレーション画像を生成する場合、組合せ分析手段１３Ａでの分析結果が「会社識別子同一」を示し、対象となる共用衣料品が同一会社の製品であった場合、これら共用衣料品に関連する製品として当該会社識別子を持つ製品の製品情報のいずれかを検索し、得られた製品情報を共用衣料品の組合せに対応する関連情報として提供すればよい。
したがって、例えば同一会社のジャケットとＴシャツが共用衣料品として指定された場合、当該会社の新製品などの奨励衣料品やこれら共用衣料品の色、柄、形に最適な色、柄、形のパンツなどの製品情報が関連情報として検索されて提供される。また例えば同一会社の風邪薬と腹痛薬が共用薬品として指定された場合、当該会社の滋養強壮ドリンクなどの製品情報が関連情報として検索されて提供される。
【００４０】
また、分析結果が「会社識別子不一致」を示し、対象となる共用衣料品がそれぞれ異なる会社の製品であった場合、これら衣料品の組合せに関連する製品としてそれぞれの会社識別子を持つ製品の製品情報を検索し、得られた製品情報を共用衣料品の組合せに対応する関連情報として提供すればよい。
したがって、例えば異なる会社のジャケットとＴシャツが共用衣料品として指定された場合、それぞれの会社の新製品などの奨励衣料品やこれら共用衣料品の色、柄、形に最適な色、柄、形のパンツなどの製品情報が関連情報として検索されて提供される。
【００４１】
提供情報ＤＢ１２における製品情報や関連情報の記憶管理については、公知のデータベース構成を用いればよい。例えば、各製品の識別情報とその製品情報とを組として記憶し、共用製品の識別情報の組合せおよびその分析結果とこれらに対応する関連情報とを組として記憶しておけばよい。また、識別情報ごとに分析結果とこれらに対応する関連情報とを組として記憶しておいてもよい。
【００４２】
このように、本実施の形態によれば、共用される複数の製品の識別情報を取得し、これら識別情報に含まれる、当該製品の各種分類を示す複数の識別子を、各識別情報間で比較することにより各製品の組合せを分析し、その分析結果に応じた関連情報を記憶部から検索して出力するようにしたので、共用される複数の製品の組合せに応じた関連情報を提供できる。これにより、共用製品の組合せに応じた提供情報の選別やその組合せ自体に関する情報提供を行うことができ、例えばシミュレーション画像生成や販売促進に有用な関連情報を容易に提供可能となる。
【図面の簡単な説明】
【００４３】
【図１】本発明の一実施の形態にかかる情報提供装置の構成を示すブロック図である。
【図２】識別情報の構成を示す説明図である。
【図３】本発明の一実施の形態にかかる情報提供装置の情報提供動作を示すシーケンス図である。
【図４】本発明の一実施の形態にかかる情報提供装置での情報取得処理を示すフローチャートである。
【符号の説明】
【００４４】
１…情報提供装置、１１…通信Ｉ／Ｆ部、１２…提供情報ＤＢ、１３…情報処理部、１３Ａ…組合せ分析手段、１３Ｂ…情報検索手段、２…端末装置、２１…通信Ｉ／Ｆ部、２２…操作入力部、２３…画面表示部、２４…情報処理部、２４Ａ…アプリケーション処理手段、３…ＩＤリーダ、４，４Ａ，４Ｂ…製品、４０…ＲＦＩＤタグ、４１…識別情報（ＩＤ）、４１Ａ…会社識別子、４１Ｂ…製品種別識別子、４１Ｃ…製品個体識別子、５…通信網。
【図１】
0004819546.tif 000002
【図２】
0004819546.tif 000003
【図３】
0004819546.tif 000004
【図４】
0004819546.tif 000005